(57)【要約】【課題】抜け止め機能を確実に発揮する。【解決手段】バルブソケット１０に使用される端子金具２０は、圧接溝２６Ａを有した圧接部２６と、案内面２８Ａを有したランス２７とを備えている。ランス２７は、端子金具２０がソケット本体１２に取り付けられる過程でへたりを生じて被係止部１７に対する係止がやや浅い状態となる。圧接溝２６Ａへ電線３０を挿入するとそれに伴い、ランス２７が案内面２８Ａによって被係止部１７に対する係止を深める方向に押圧変位される。電線３０によってランス２７が係止位置から解除位置側へ変位することが規制されるため、被係止部１７に対する係止状態が安定的に保持され、抜け止め機能が確実に発揮される。【選択図】　図３
2004103283.tif 000002
【特許請求の範囲】
【請求項１】
所定の取付部位に抜け止め状態で取り付け可能な端子金具であって、
電線を接続可能な電線接続部と、
前記取付部位に設けられた被係止部に抜け止め状態で係止可能な係止位置とその係止が解除状態となる解除位置との間で変位可能な抜止係止部とを備え、
前記抜止係止部が前記電線接続部に接続された電線に係止することで、前記係止位置から前記解除位置側への変位が規制されるようにしたことを特徴とする端子金具。
【請求項２】
前記抜止係止部には、前記電線接続部への電線の接続動作に伴ってこの抜止係止部を前記被係止部に対する係止を深める方向へ押圧変位させる案内面が形成されていることを特徴とする請求項１に記載の端子金具。
【請求項３】
バルブを装着可能なバルブ装着部を有したソケット本体と、
前記ソケット本体に形成された取付凹部内に挿入され、前記バルブの電極に接続可能な電極部と、電線を接続可能な電線接続部と、前記取付凹部に設けられた被係止部に抜け止め状態で係止可能な係止位置とその係止が解除状態となる解除位置との間で変位可能な抜止係止部とを有する端子金具とを備え、
前記抜止係止部が前記電線接続部に接続された電線に係止することで、前記係止位置から前記解除位置側への変位が規制されるようにしたことを特徴とするバルブソケット。
【請求項４】
相手側コネクタと嵌合可能でかつキャビティを有するハウジングと、
前記キャビティ内に挿入され、前記相手側コネクタの有する相手側の端子金具に接続可能な端子部と、電線を接続可能な電線接続部と、前記キャビティに設けられた被係止部に抜け止め状態で係止可能な係止位置とその係止が解除状態となる解除位置との間で変位可能な抜止係止部とを有する端子金具とを備え、
前記抜止係止部が前記電線接続部に接続された電線に係止することで、前記係止位置から前記解除位置側への変位が規制されるようにしたことを特徴とするコネクタ。
【発明の詳細な説明】
【０００１】
【発明の属する技術分野】
本発明は、端子金具、バルブソケット及びコネクタに関する。
【０００２】
【従来の技術】
従来より端子金具をコネクタハウジング等に抜け止め状態で係止するための手段として、端子金具の側面に撓み変形可能な片持ち状のランスを切り起こし形成したものが知られている。端子金具は、ランスを撓み変形させつつ例えばコネクタハウジングのキャビティ内に挿入され、所定位置に至ったところでランスが復元変形して、キャビティ内の被係止部に係止することにより抜け止め状態となる。
なお、このようなランスを備えた端子金具は、例えば特許文献１に記載されている。
【０００３】
【特許文献１】
特開平１１−２０４２２７号公報
【０００４】
【発明が解決しようとする課題】
ところで、こうしたランスは撓み変形された際にへたりを生じて、十分に復元しないことがあり、その結果、被係止部に対する係止が浅くなって、端子金具が抜けやすくなるおそれがあった。
本発明は、上記事情に鑑みてなされたもので、その目的は、抜け止め機能を確実に発揮することの可能な端子金具を提供するところにある。
【０００５】
【課題を解決するための手段】
上記の課題を解決するための請求項１の発明に係る端子金具は、所定の取付部位に抜け止め状態で取り付け可能な端子金具であって、電線を接続可能な電線接続部と、前記取付部位に設けられた被係止部に抜け止め状態で係止可能な係止位置とその係止が解除状態となる解除位置との間で変位可能な抜止係止部とを備え、前記抜止係止部が前記電線接続部に接続された電線に係止することで、前記係止位置から前記解除位置側への変位が規制されるようにしたところに特徴を有する。
【０００６】
請求項２の発明は、請求項１に記載のものにおいて、前記抜止係止部には、前記電線接続部への電線の接続動作に伴ってこの抜止係止部を前記被係止部に対する係止を深める方向へ押圧変位させる案内面が形成されているところに特徴を有する。
【０００７】
請求項３の発明に係るバルブソケットは、バルブを装着可能なバルブ装着部を有したソケット本体と、前記ソケット本体に形成された取付凹部内に挿入され、前記バルブの電極に接続可能な電極部と、電線を接続可能な電線接続部と、前記取付凹部に設けられた被係止部に抜け止め状態で係止可能な係止位置とその係止が解除状態となる解除位置との間で変位可能な抜止係止部とを有する端子金具とを備え、前記抜止係止部が前記電線接続部に接続された電線に係止することで、前記係止位置から前記解除位置側への変位が規制されるようにしたところに特徴を有する。
【０００８】
請求項４の発明に係るコネクタは、相手側コネクタと嵌合可能でかつキャビティを有するハウジングと、前記キャビティ内に挿入され、前記相手側コネクタの有する相手側の端子金具に接続可能な端子部と、電線を接続可能な電線接続部と、前記キャビティに設けられた被係止部に抜け止め状態で係止可能な係止位置とその係止が解除状態となる解除位置との間で変位可能な抜止係止部とを有する端子金具とを備え、前記抜止係止部が前記電線接続部に接続された電線に係止することで、前記係止位置から前記解除位置側への変位が規制されるようにしたところに特徴を有する。
【０００９】
【発明の作用および効果】
請求項１，請求項３及び請求項４の発明によれば、電線接続部に接続された電線によって抜止係止部が係止位置から解除位置側へ変位することが規制されるため、被係止部に対する係止状態が安定的に保持され、抜け止め機能が確実に発揮される。
【００１０】
請求項２の発明によれば、案内面によって電線接続部への電線の接続動作に伴って抜止係止部が被係止部に対する係止を深める方向に変位されるため、抜け止め機能がより確実に発揮される。
【００１１】
【発明の実施の形態】
＜第１実施形態＞
次に本発明をバルブソケット及びその端子金具に適用した第１実施形態について図１から図５を参照して説明する。バルブソケット１０は、図１に示すように、合成樹脂製のパネル１１の上面に一体的に形成されたソケット本体１２と、このソケット本体１２に装着される一対の端子金具２０とから構成されている。
【００１２】
ソケット本体１２は、図４にも示すように、上方に開放した略角筒状をなすバルブ装着部１３を備え、ここにウェッジベースバルブ（図示せず）のベース部を差し込んで装着可能となっている。バルブ装着部１３の外周部には、一対の電線装着部１４がバルブ装着部１３を中心として対称的に形成されている。電線装着部１４は、上方に開放した箱形をなすととともに、その外周壁のうち対向する一対の壁面に上端から下方へ延びた挿入溝１５が形成されている。挿入溝１５の幅寸法は電線３０の外径とほぼ同じとされ、両挿入溝１５内にほぼ緊密に電線３０が挿入されることで、電線３０が電線装着部１４を横切るような形態で保持されるようになっている。また、バルブ装着部１３の内側から各電線装着部１４の内側に連通してスリット状の取付凹部１６が一対形成され、各取付凹部１６には端子金具２０が上方から挿入可能となっている。
【００１３】
端子金具２０は、導電性の金属板材をプレスにより打ち抜いた後に曲げ加工を施すことで、図１及び図２に示すような形状に形成されている。端子金具２０は、前述したバルブ装着部１３内の取付凹部１６に差し込まれる垂直な板状の基部２１を備え、この基部２１の上端から保持片２２と電極部２３とが並んで上方へ延出されている。保持片２２は、その上端部がバルブ装着部１３の内側へ凸状に曲げられており、対向する一対の保持片２２の間にウェッジベースバルブのベース部が差し込まれることで、ベース部が弾性的に挟持されるようになっている。電極部２３は、上端から内側へ膨らみつつ下方へ折り返された形状であり、ベース部の表面に配された電極に弾性的に接触することで導通が取られるようになっている。
【００１４】
基部２１の下部側端からはＬ字状に屈曲した連結部２４が延出され、その連結部２４の先に電線装着部１４内に収容される電線接続部２５が設けられている。電線接続部２５の底壁からは、挿入溝１５の設けられた一壁面に沿うように圧接部２６が垂直に立ち上げて形成され、ここには上方に開口した圧接溝２６Ａが形成されている。圧接溝２６Ａは、挿入溝１５と整合する位置にあり、挿入溝１５に電線３０が上方から挿入されると、圧接溝２６Ａの縁部が電線３０の被覆３０Ａに切り込んで芯線３０Ｂに接触するようになっている。
【００１５】
また、電線接続部２５の底壁における連結部２４と反対側の端部からは、片持ち状のランス２７（本発明の「抜止係止部」に相当）が斜め上向きに起こされて形成されている。一方、電線装着部１４には、ランス２７に対応した内壁面の上端に被係止部１７が突出して形成されており、ランス２７は、その先端が被係止部１７に係止可能となる係止位置と、先端が内側に引っ込んで被係止部１７に対する係止が解除状態となる解除位置との間で撓み変形可能とされている。なお、端子金具２０をソケット本体１２に取り付ける前の状態では、ランス２７は係止位置となっている。また、ランス２７の圧接部２６寄りの端部からは内側へ向けて直角曲げされた押圧片２８が形成されている。押圧片２８の先端には、下側に向かうほど内側に張り出すような傾斜をもった案内面２８Ａが形成されている。
【００１６】
次にバルブソケット１０の組み付け手順について説明する。
まずソケット本体１２の各取付凹部１６へ上方から端子金具２０が挿入される。電線接続部２５が電線装着部１４内に進入していくと、ランス２７が被係止部１７に当接して、解除位置に撓み変形されつつ端子金具２０が押し込まれる。そして、端子金具２０が正規の取り付け位置まで挿入されると、ランス２７の先端が被係止部１７を越えるとともに、ランス２７が係止位置に復元変形して被係止部に対し下方から係止する（図３参照）。これにより、端子金具２０がソケット本体１２に上方へ抜け止めされた状態で保持される。なお、ここでランス２７は、挿入の過程で撓み変形されることによりへたりを生じて十分に復元せず、被係止部１７に対する係止がやや浅い状態となっている。
【００１７】
続いて、各電線装着部１４の挿入溝１５に上方から電線３０が挿入される。すると、電線３０が圧接溝２６Ａに押し込まれて、圧接溝２６Ａの側縁がその電線３０の被覆３０Ａを切り込んで芯線３０Ｂに接触する（図４，５参照）。また、電線３０が圧接溝２６Ａに押し込まれるのに伴って、被覆３０Ａが押圧片２８の案内面２８Ａに当接し、ランス２７が外側へ押し出される。これにより、ランス２７は被係止部１７に対しより深く係止した状態となり、かつランス２７が電線３０に係止することによって解除位置側への変位が規制された状態となる。
【００１８】
以上のように本実施形態によれば、電線接続部２５に接続された電線３０によってランス２７が係止位置から解除位置側へ変位することが規制されるため、被係止部１７に対する係止状態が安定的に保持され、抜け止め機能が確実に発揮される。
また、ランス２７の案内面２８Ａによって、電線接続部２５への電線３０の接続動作に伴ってランス２７が被係止部１７に対する係止を深める方向に変位されるため、抜け止め機能がより確実に発揮される。
【００１９】
＜第２実施形態＞
次に本発明をコネクタ及び雄側端子金具に適用した第２実施形態について図６から図１１を参照して説明する。コネクタ４０は、図６に示すように、合成樹脂製のハウジング４１と、このハウジング４１に装着される合成樹脂製のカバー５０と、ハウジング４１に収容される一対の雄側端子金具６０とから構成されている。
【００２０】
ハウジング４１は、図７，図８にも示すように、全体として箱形をなすとともに、前部には前方に開口したフード状の嵌合部４２が設けられ、ここに相手の雌側コネクタ（図示せず）を嵌入可能とされている。ハウジング４１の後部には、雄側端子金具６０を後方から挿入可能な左右一対のキャビティ４３が設けられている。各キャビティ４３は、後方及び上方に開放して形成されており、その前面壁（嵌合部４２の奥壁）の下部には、挿通孔４４が嵌合部４２内に連通して形成されている。この挿通孔４４の内側壁前端には前止め突起４４Ａが内側へ張り出して形成されている。また、各キャビティ４３の内側壁の一方には、ランス進入溝４５が前後方向に沿って形成され、そのやや後端寄り位置に被係止部４６が内側に突出して形成されている。
【００２１】
カバー５０は、平板状の本体部５１を有しており、その左右両側部から下方に向けて撓み変形可能な一対の係止アーム５２が延設されている。一方、ハウジング４１の両側面には、後端寄り位置にロック突起４７が形成されており、カバー５０は本体部５１によって各キャビティ４３の上方を覆うとともに両係止アーム５２をロック突起４７に係合させることで、ハウジング４１に保持されるようになっている。また、本体部５１の下面には、各キャビティ４３に対応して前後一対ずつの電線押さえ５３が突設されている。
【００２２】
雄側端子金具６０は、導電性の金属板をプレスにより打ち抜いて曲げ加工を施すことで、図６から図８に示すように、前後に細長く形成されている。雄側端子金具６０の前端にはタブ部６１（本発明の「端子部」に相当）が形成されており、このタブ部６１は挿通孔４４にキャビティ４３側から挿通されて嵌合部４２内に突出し、相手の雌側端子金具が接続可能な状態となる。タブ部６１の基端側には左右一対の張出部６２が幅寸法に張り出して形成され、この張出部６２が各前止め突起４４Ａに係止することで、端子金具２０が前止めされるようになっている。
【００２３】
雄側端子金具６０の後部は、電線３０の端末を接続するための電線接続部６３とされており、前後方向に延びた底壁の後端から圧接部６４を垂直に立ち上げて形成されている。この圧接部６４には、上方に開口した圧接溝６４Ａが形成され、ここに電線３０を押し込むと圧接溝６４Ａの縁部が被覆３０Ａに切り込んで芯線３０Ｂに接触するようになっている。電線接続部６３の底壁における一方の側縁からは、ランス６５が垂直に立ち上げられて形成されている。ランス６５の先端は、後側へ片持ち状に延出されるとともに、側方へ張り出すように山形に曲げられ、さらにその内向きに延びた延出端には下へ向かうほど内側に張り出すように傾斜した案内面６５Ａが形成されている。このランス６５の先端（側方への突出端）は、キャビティ４３のランス進入溝４５内に進入可能とされるとともに、被係止部４６に係止可能な係止位置と、この係止位置よりも内側に引っ込んでその係止が解除状態となる解除位置との間で撓み変形可能とされている。なお、雄側端子金具６０をハウジング４１に組み付ける前の状態では、ランス６５は係止位置となっている。
【００２４】
次にコネクタの組み付け手順について説明する。
まずカバー５０を外した状態のハウジング４１に対し、各キャビティ４３内へ後方から雄側端子金具６０が挿入される。タブ部６１を挿通孔４４に差し込みつつ雄側端子金具６０が挿入されると、ランス６５の先端が被係止部４６に突き当たって、ランス６５が内側（解除位置）に撓み変形される。そして、雄側端子金具６０が正規の深さ位置まで挿入されると、張出部６２が前止め突起４４Ａに係合して雄側端子金具６０が前止めされる一方で、ランス６５の先端が被係止部４６を越え、ランス６５が係止位置に復元変形して被係止部４６に対し前方から係止する（図７参照）。これにより、雄側端子金具６０が後方に抜け止めされた状態で保持される。なお、ここでランス６５は、挿入の過程で撓み変形されることによりへたりを生じて十分に復元せず、被係止部４６に対する係止がやや浅い状態となっている。
【００２５】
続いて、図８に示すように、各キャビティ４３へ上方から電線３０の端部が挿入される。圧接溝６４Ａに電線３０が押し込まれると、圧接溝６４Ａの縁部がその被覆３０Ａを切り込んで芯線３０Ｂに接触する。また、電線３０が圧接溝６４Ａに押し込まれるのに伴って、電線３０の被覆３０Ａがランス６５の案内面６５Ａに当接し、この案内面６５Ａの案内に従ってランス６５が外側へ押し出される。これにより、ランス６５は被係止部４６に対しより深く係止した状態となり、かつランス６５が電線３０に係止することによって解除位置側への変位が規制された状態となる。
最後に、ハウジング４１にカバー５０が覆い付けられると、電線押さえ５３によって電線３０の浮きが規制され、圧接部６４における雄側端子金具６０との接触状態がより確実に保持される（図９から図１１参照）。
【００２６】
以上のように本実施形態によれば、電線接続部６３に接続された電線３０によってランス６５が係止位置から解除位置側へ変位することが規制されるため、被係止部４６に対する係止状態が安定的に保持され、抜け止め機能が確実に発揮される。
また、ランス６５の案内面６５Ａによって、電線接続部６３への電線３０の接続動作に伴ってランス６５がより係止を深める方向に変位されるため、抜け止め機能がより確実に発揮される。
【００２７】
本発明は上記記述及び図面によって説明した実施形態に限定されるものではなく、例えば次のような実施態様も本発明の技術的範囲に含まれ、さらに、下記以外にも要旨を逸脱しない範囲内で種々変更して実施することができる。
（１）上記各実施形態では、端子金具を取り付ける際にランスがへたって被係止部に対する係止が浅くなった場合を示したが、本発明は取り付けの際にランス（抜止係止部）が十分に復元して被係止部に対する係止が十分に深くなるような場合でも同様適用できる。その場合には、電線接続部に電線を接続した際に、電線によってランス（抜止係止部）の解除位置側への変形が規制された状態となる。また、抜止係止部が取り付け前から解除位置にあり、端子金具を取り付けてから、電線の接続動作に伴って抜止係止部を係止位置へ変位させるようにしても良い。
（２）上記各実施形態では、電線接続部に対し圧接によって電線を接続するようにしたが、これに限らず、例えばかしめ等によって電線を接続するようにしても良い。
（３）本発明は、上記したバルブソケット及びコネクタに使用される端子金具のみならず、他の用途に使用される端子金具全般について広く適用することができる。
【図面の簡単な説明】
【図１】第１実施形態におけるバルブソケットの分解断面図
【図２】端子金具の平面図
【図３】ソケット本体に端子金具を取り付けた状態を示す断面図
【図４】組み付け完了状態を示す平面図
【図５】その断面図
【図６】第２実施形態におけるコネクタの分解縦断面図
【図７】ハウジングに雄側端子金具を取り付けた状態を示す平断面図
【図８】その背面図
【図９】組み付け完了状態を示す平断面図
【図１０】その背面図
【図１１】その縦断面図
【符号の説明】
１０…バルブソケット
１２…ソケット本体
１３…バルブ装着部
１６…取付凹部（取付部位）
１７…被係止部
２０…端子金具
２３…電極部
２５…電線接続部
２７…ランス（抜止係止部）
２８Ａ…案内面
３０…電線
４０…コネクタ
４１…ハウジング
４３…キャビティ（取付部位）
４６…被係止部
６０…雄側端子金具（端子金具）
６１…タブ部（端子部）
６３…電線接続部
６５…ランス（抜止係止部）
６５Ａ…案内面
【図１】
2004103283.tif 000003
【図２】
2004103283.tif 000004
【図３】
2004103283.tif 000005
【図４】
2004103283.tif 000006
【図５】
2004103283.tif 000007
【図６】
2004103283.tif 000008
【図７】
2004103283.tif 000009
【図８】
2004103283.tif 000010
【図９】
2004103283.tif 000011
【図１０】
2004103283.tif 000012
【図１１】
2004103283.tif 000013